(57)【要約】【課題】駅構内などの公共施設において簡単な操作で短時間に所定の詳細情報の入手手段となるデータを得ることを可能とする。【解決手段】データ配信システムが、通信部４３を備えた携帯端末４と、携帯端末４と赤外線通信を行う通信部２１を備えた店頭大型ディスプレイ２と、店頭大型ディスプレイ２とネットワークを介して接続され、所定のデータを記憶する記憶部１３を備えたメイン端末１と、を備え、メイン端末１は、店頭大型ディスプレイ２が携帯端末４から無線信号を受信すると記憶部１３から前記所定のデータを読み出して店頭大型ディスプレイ２に送信し、店頭大型ディスプレイ２の通信部２１から携帯端末４に送信する。【選択図】図１
2006099357.tif 000002
【特許請求の範囲】
【請求項１】
無線通信手段を備えた携帯端末と、
前記携帯端末と無線信号を送受信する無線通信手段を備えた表示装置と、
前記表示装置とネットワークを介して接続され、所定のデータを記憶する記憶手段を備えたメイン端末と、
を備えたデータ配信システムであって、
前記メイン端末は、前記表示装置が前記携帯端末から無線信号を受信すると前記記憶手段から前記所定のデータを読み出して前記表示装置に送信し、前記表示装置の無線通信手段によってそのデータを無線信号として前記携帯端末に送信することを特徴とするデータ配信システム。
【請求項２】
前記所定のデータは、インターネットのウェブサイトにアクセスするためのＵＲＬデータであることを特徴とする請求項１に記載のデータ配信システム。
【請求項３】
前記携帯端末はインターネットに接続する接続手段を備えていることを特徴とする請求項２に記載のデータ配信システム。
【請求項４】
前記無線通信手段は赤外線通信手段であることを特徴とする請求項１〜請求項３のいずれか一項に記載のデータ配信システム。
【請求項５】
前記メイン端末はスライドショープログラムを備え、音楽データと同期させた静止画データのスライドショーを前記表示装置において再生する再生手段を備えることを特徴とする請求項１〜請求項４のいずれか一項に記載のデータ配信システム。
【発明の詳細な説明】
【技術分野】
【０００１】
本発明は、データ配信システムに係り、特に携帯電話やＰＤＡなどの端末に所定のデータを短時間で配信するデータ配信システムに関する。
【背景技術】
【０００２】
近年、駅構内やホテル、展示会場などにおいて無線ＬＡＮによりインターネットに接続できる場所を設け、携帯電話などの端末を使用してインターネットに接続することを可能とするサービスが行われている。
このサービスによれば、屋外において携帯電話などの端末を使用してインターネットに接続することにより、ホテルのサービス情報や展示会場における展示物の情報など多彩な情報を得ることが可能となる。
【０００３】
このような無線ＬＡＮを利用したサービスの一つとして、屋外における広告システムが知られている。例えば、特許文献１には、駅構内などの公共施設内に広告を表示する表示装置を設置すると共に、無線ＬＡＮによってインターネットに接続できる場所を設置し、表示装置に表示された広告に興味を持ったユーザが、ＰＣ、ＰＤＡ、携帯電話などの端末を使用してインターネットや専用ＬＡＮに接続することにより、その広告についてのさらに詳細な情報を得ることができる広告システムが記載されている。
【０００４】
このような広告システムによれば、屋外において表示装置に表示された広告に興味を持ったユーザが、その場でインターネットに接続してその広告についての詳細な情報を得ることができるため、情報提供によってユーザのニーズに応えると共に、その広告について高い宣伝効果をあげることができる。
【特許文献１】特開２００４−１１０７５３号公報
【発明の開示】
【発明が解決しようとする課題】
【０００５】
しかし、上述のような携帯電話などの端末を使用してインターネットに接続する広告システムは、比較的安価で構築できるが、消費電力が大きく、また、駅構内などの公共施設内に無線ＬＡＮによってインターネットに接続できる場所を設置する必要があるという問題があった。また、限られた無線帯域において複数のユーザが一つのアクセスポイントに集中すると、実効速度が落ちてホームページにアクセスするのに時間がかかる。このような場合に駅構内などを移動中のユーザがホームページにアクセスするのを断念すると、結局広告についての詳細な情報を提供することができず、ユーザを顧客として獲得することができないという問題があった。
【０００６】
したがって、駅構内などの公共施設においてユーザがインターネットへの接続を断念することなく広告などについての詳細な情報を提供するには、できる限り簡単な操作で、短時間に情報を提供することが望まれる。
【０００７】
本発明は上述した点に鑑みてなされたものであり、駅構内などの公共施設においてユーザが携帯電話などの端末を使用することにより、簡単な操作で短時間に所定のデータを得ることを可能とするデータ配信システムを提供することを目的とする。
【課題を解決するための手段】
【０００８】
上述した課題を解決するため請求項１に記載の発明は、データ配信システムであって、無線通信手段を備えた携帯端末と、前記携帯端末と無線信号を送受信する無線通信手段を備えた表示装置と、前記表示装置とネットワークを介して接続され、所定のデータを記憶する記憶手段を備えたメイン端末と、を備えたデータ配信システムであって、前記メイン端末は、前記表示装置が前記携帯端末から無線信号を受信すると前記記憶手段から前記所定のデータを読み出して前記表示装置に送信し、前記表示装置の無線通信手段によってそのデータを無線信号として前記携帯端末に送信することを特徴とする。
【０００９】
請求項１に記載の発明によれば、ユーザが所定のデータを入手したい場合に、携帯端末を操作して表示装置と無線通信を行うのみで、簡単な操作で短時間に所定のデータを得ることができる。
【００１０】
請求項２に記載の発明は、請求項１に記載のデータ配信システムであって、前記所定のデータは、インターネットのウェブサイトにアクセスするためのＵＲＬデータであることを特徴とする。
【００１１】
請求項２に記載の発明によれば、所定のデータはＵＲＬデータであることから、その場でインターネットに接続するよりも短い通信時間でそのデータを入手することが可能となる。
【００１２】
請求項３に記載の発明は、請求項２に記載のデータ配信システムであって、前記携帯端末はインターネットに接続する接続手段を備えていることを特徴とする。
【００１３】
請求項３に記載の発明によれば、携帯端末において受信した所定の詳細情報の入手手段となるデータがＵＲＬデータである場合に、その携帯端末を使用して入手したＵＲＬデータに基づいてインターネットに接続し、所定の情報を得ることができる。
【００１４】
請求項４に記載の発明は、請求項１〜請求項３のいずれか一項に記載のデータ配信システムであって、前記無線通信手段は赤外線通信手段であることを特徴とする。
【００１５】
請求項４に記載の発明によれば、赤外線通信によって携帯端末と表示装置との間の無線通信を行うため、高速に無線通信を行うことができる。
【００１６】
請求項５に記載の発明は、請求項１〜請求項４のいずれか一項に記載のデータ配信システムであって、前記メイン端末はスライドショープログラムを備え、音楽データと同期させた静止画データのスライドショーを前記表示装置において再生する再生手段を備えることを特徴とする。
【００１７】
請求項５に記載の発明によれば、表示装置におけるスライドショー再生で広告を行うことによって、携帯端末を所持しているユーザに所定の詳細情報を入手する動機付けをすることができる。
【発明の効果】
【００１８】
請求項１に記載の発明によれば、駅構内などの公共施設においてユーザが携帯電話などの端末を使用することにより、簡単な操作で短時間に所定のデータを得ることができる。このデータは携帯端末に送信されるため、ユーザは時間のあるときに携帯端末で受信した所定のデータを参照することや、そのデータを利用して所定の情報を得ることなどが可能となる。これによって、表示装置に表示された広告に興味を持ちつつ時間の制約などによって店舗に入店することができなかったユーザに、店舗についての情報を提供し、そのユーザを顧客として確保して次回の入店などに結びつけることが可能となる。
【００１９】
請求項２に記載の発明によれば、駅構内などの公共施設においてユーザがインターネットに接続するよりも短い通信時間でＵＲＬデータを入手することが可能となり、ユーザは時間のあるときに携帯端末で受信したＵＲＬデータを利用してインターネットに接続し、所定の情報を得ることができる。
また、店頭の表示装置から取得したＵＲＬから接続することができるウェブサイトを、店頭の表示装置から取得したＵＲＬからのみ接続できるウェブサイトとし、さらにそのホームページに接続することで商品価格の割引や景品の提供などを受けられるようにすることによって、表示装置からデータを取得したユーザに特典を付与し、そのユーザを顧客として確保して次回の入店などに結びつけることが可能となる。
【００２０】
請求項３に記載の発明によれば、携帯端末においてＵＲＬデータを得た場合に、ユーザはその携帯端末を使用して、そのＵＲＬに基づくインターネットのウェブサイトにアクセスすることができる。これによって、ＵＲＬデータを取得したユーザをウェブサイトにおける情報取得に速やかに結びつけることが可能となる。
【００２１】
請求項４に記載の発明によれば、駅構内などの公共施設においてより高速に所定のデータを得ることが可能となる。
【００２２】
請求項５に記載の発明によれば、駅構内などの公共施設において携帯端末を所持しているユーザに所定のデータを入手する動機付けをすることができる。
【発明を実施するための最良の形態】
【００２３】
図１は、本発明のデータ配信システムを所定の店舗に適用した場合の実施形態の全体構成を示すブロック図である。図１に示すように、データ配信システムにはメイン端末１が備えられており、メイン端末１には店頭大型ディスプレイ２、店頭スピーカ３、店内端末５及びホスト端末６が互いに通信可能なネットワークを介して接続されている。
【００２４】
さらに、ホスト端末６にはネットワークを介してチェーン店など複数の店舗の端末（図示せず）が接続されている。そして、ホスト端末７は、本実施形態の店舗のメイン端末１を含む各店舗の端末からネットワークを経由して送信される注文情報やアンケート情報などを受信して集中管理するようになっている。
【００２５】
なお、本実施形態におけるネットワークはデータ通信可能である通信網を意味するものであれば特に限定されないが、例えばインターネット、ＬＡＮ（Local Area Network）、ＷＡＮ（Wide Area Network）などを含めてもよく、電話回線網、ＩＳＤＮ（Integrated Services Digital Network）回線網、ＣＡＴＶ（Cable Television）回線、光通信回線などを含む構成でもよい。ただし、店頭大型ディスプレイ２及び店頭スピーカ３についてはＢｌｕｅｔｏｏｔｈ（登録商標）などを利用した無線ネットワークによってメイン端末１と通信を行うことができるように構成されている。
【００２６】
さらに、店頭大型ディスプレイ２は無線通信手段としての通信部２１を備えており、同様に無線通信手段としての通信部２１を備えた携帯端末４と近距離無線通信を行うことができるようになっている。
【００２７】
ここで、近距離無線通信としては、赤外線通信（ＩｒＤＡ／ＩｒＭＣ）、Ｂｌｕｅｔｏｏｔｈ（登録商標）その他の無線通信を適用することが可能であるが、本実施の形態においては、ＩｒＤＡ規格に準じた赤外線通信を適用している。
【００２８】
次に、上述した各構成部分について詳細に説明する。
【００２９】
まず、メイン端末１の内部構成について図１を参照して説明する。
【００３０】
メイン端末１は制御部１１を備えており、制御部１１には入力部１２、記憶部１３、操作部１４及び表示部１５が電気的に接続され、制御部１１はこれらの各構成部分をそれぞれ駆動制御するようになっている。
【００３１】
制御部１１はＣＰＵ及びＲＡＭ（いずれも図示せず）から構成されており、ＣＰＵは記憶部１３に記憶されている各種プログラムの中から指定されたプログラムをＲＡＭに展開し、ＲＡＭ上のプログラムとの協働により各種制御を実行するようになっている。
【００３２】
本実施形態において、制御部１１は複数の静止画を所定時間ずつ順次切り替えてディスプレイに表示するスライドショーの再生手段を有しており、ＣＰＵが記憶部１３に記憶されたスライドショープログラムをＲＡＭに展開して実行することによって、音楽データと同期させた静止画データのスライドショー再生をすることができるようになっている。
【００３３】
入力部１２は、ＣＤ−ＲＯＭやＤＶＤなどの記録媒体を装填することができるようになっており、記録媒体から読み出した静止画データ又は音楽データをメイン端末１に入力して記憶部１３に記憶することができるようになっている。また、入力部１２は、デジタルカメラなどの撮影機器を有線、無線又は赤外線などによって接続するための接続部を設けて静止画データ又は音楽データを再生装置に入力することができる構成とすることや、ウェブサイトから音楽データをダウンロードして記憶部１３に直接記憶する構成とすることも可能である。
【００３４】
記憶部１３は、ＨＤＤ（Hard Disk Drive）などから構成されており、入力部１２から入力された静止画データを記憶すると共に、同様に入力部１２から入力された音楽データをその静止画データと関連付けて記憶するようになっている。さらに、音楽データと同期させて静止画データのスライドショー再生を行うスライドショープログラムを記憶するようになっている。
【００３５】
また、記憶部１３は、スライドショー再生によって広告される店舗についてのデータであって、インターネットに接続するよりも短い通信時間で得ることができるデータを記憶するようになっている。本実施形態では、その店舗又はその店舗が取り扱う商品についてユーザがさらに詳細な情報を知りたい場合に、より詳細な情報に導く手段となるＵＲＬデータを記憶している。本実施形態におけるＵＲＬデータは、店頭の表示装置から取得したＵＲＬからのみ接続できるウェブサイトに接続することができるＵＲＬデータとなっている。なお、このデータは無線通信によって短時間で得られるデータであればよく、その店舗の電子メールアドレス、電話番号や、その店舗におけるバーゲンの日程情報などであってもよい。
【００３６】
操作部１４は、カーソルキー、数字入力キー及び各種機能キーなどを備えたキーボードと、マウスなどのポインティングデバイスを備えて構成されており、キーボードで押下されたキーの押下信号とマウスによる操作信号とを、入力信号として制御部１１に出力するようになっている。また、操作部１４は再生部のディスプレイの画面上にタッチパネルとして備えてもよい。
【００３７】
表示部１５は、液晶パネルを利用した液晶ディスプレイ（ＬＣＤ：Liquid Crystal Display）、エレクトロルミネッセンス（ＥＬ：Electro Luminescence）現象を利用したＥＬディスプレイ又はプラズマディスプレイパネル（以下、ＰＤＰ：Plasma Display Panel）を利用したプラズマディスプレイなどのディスプレイと、スピーカとから構成されており、制御部１１から入力される表示信号の指示に従って、スピーカから音声を出力すると共にディスプレイ画面上に各種画面を表示してスライドショー再生を行うようになっている。また、ディスプレイには記憶部１３に記憶された静止画データ及び音楽データのスライドショー再生に関する設定画面などを表示することができるようになっている。
【００３８】
制御部１１は、記憶部１３に記憶されたスライドショープログラムを実行することにより、ネットワークを介して、店頭ディスプレイ２及び店頭スピーカ３並びに店内端末５の表示部５３において、記憶部１３から読み出した静止画データをその静止画データと関連付けられた音楽データの再生と同期させてスライドショー再生することができるようになっている。
【００３９】
ここで、本実施形態における静止画データとは、例えば、その店舗で扱っている商品、季節ごとのサービス情報、期間限定のお得情報などに関する複数の静止画データファイルであり、また、音楽データはその静止画データと関連付けられた音楽データである。
【００４０】
なお、制御部１１は、入力部１２においてＣＤ−ＲＯＭなどから入力され、記憶部１３に記憶された電子アルバムプログラムを読み出して、この電子アルバムプログラムを実行することによりスライドショー再生を行う構成としてもよい。ここで、電子アルバムプログラムとは、ＣＤ−ＲＯＭなどの記録媒体に、静止画データと、その静止画データと関連付けられた音楽データと、静止画データを音楽データの再生と同期させてスライドショー再生するスライドショープログラムとが一体となって格納されており、入力部１２にこの電子アルバムプログラムが格納された記録媒体を装填することで、静止画データをその静止画データと関連付けられた音楽データの再生と同期させてスライドショー再生することができる構成とされているものをいう。
【００４１】
また、制御部１１は、店頭大型ディスプレイ２が赤外線通信によって携帯端末４から無線信号を受信すると、店頭大型ディスプレイ２からネットワークを介してメイン端末１にデータ送信の指示信号を送信するように制御するようになっている。さらに、メイン端末１がその指示信号を受信すると、記憶部１３からＵＲＬデータを読み出し、店頭大型ディスプレイ２を介して携帯端末４に送信するように制御するようになっている。
【００４２】
次に、店頭大型ディスプレイ２及び店頭スピーカ３について説明する。
【００４３】
店頭大型ディスプレイ２及び店頭スピーカ３は店舗の店頭に設置されており、メイン端末１の制御部１１によるスライドショープログラムの実行によって、店頭スピーカ３において各種音楽データの再生を行うと共に、その音楽データの再生と同期させて、店頭大型ディスプレイ２において各種静止画データをスライドショー再生することができるようになっている。このようなスライドショー再生を行うことによって、その店舗についての効果的な広告を行うことができるようになっている。
【００４４】
また、店頭大型ディスプレイ２には携帯端末４と無線通信を行う無線通信手段としての通信部２１が備えられており、携帯端末４との間で赤外線通信によって無線信号の送受信を行うことができるようになっている。店頭大型ディスプレイ２の通信部２１は、携帯端末４から無線信号を受信すると、その無線信号をメイン端末１に送信するようになっている。また、メイン端末１から店舗についての詳細情報の入手手段となるデータ、すなわち店舗のホームページのＵＲＬデータを受信すると、そのデータを携帯端末に送信するようになっている。
【００４５】
次に、携帯端末４について図１を参照して説明する。
【００４６】
本実施形態の携帯端末４はユーザが携帯する携帯電話機であるが、携帯端末４は、店頭大型ディスプレイ２に搭載された通信部２１と短距離無線通信を行うことができる無線通信手段としての通信部を備えた機器であればよく、ＰＤＡやノート型ＰＣなどであってもよい。
【００４７】
図１に示すように、携帯端末４としての携帯電話機は制御部４１を備え、制御部４１には記憶部４２、店頭大型ディスプレイ２と無線通信を行う無線通信手段としての通信部４３、操作部４４、表示部４５及び音声処理部４６が接続されている。また、携帯端末４としての携帯電話機には図示しないアンテナが接続されており、基地局（図示せず）との間で無線通信プロトコルを実行し、制御部４１によって処理される制御信号、着呼信号、通話音声、各種データなどを送受信するようになっている。
【００４８】
制御部４１はＣＰＵ及びＲＡＭから構成されており、ＣＰＵは記憶部１２に記憶されている各種プログラムの中から指定されたプログラムをＲＡＭに展開し、ＲＡＭ上のプログラムとの協働により各種制御を実行するようになっている。
【００４９】
また、制御部４１はインターネットＮに接続する接続手段としてのウェブブラウザ機能を備えており、記憶部４２から読み出したＵＲＬデータにより所定のインターネットアドレスを指定することで、インターネットＮを介して所定のウェブサーバにアクセスし、ホームページなどを閲覧可能とするようになっている。本実施形態においては、店頭の表示装置から取得したＵＲＬから接続することができるウェブサイトを、店頭の表示装置から取得したＵＲＬからのみ接続できるウェブサイトとし、さらにそのホームページに接続したユーザに商品価格の割引や景品の提供するようになっている。
【００５０】
また、制御部４１は、操作部４４からの指示信号により、携帯端末４としての携帯電話機を赤外線通信機能に切り替えるようになっている。
【００５１】
無線通信手段としての通信部４３は、店頭大型ディスプレイ２の通信部２１との間で赤外線通信による無線信号の送受信を行うことを可能としており、携帯端末４の入出力手段としての機能を果たしている。
【００５２】
記憶部４２は、携帯端末４の記憶手段としての機能を有しており、通信部４３において受信したＵＲＬデータなどのデータを記憶するようになっている。
【００５３】
操作部４４は、文字キー、数字キーの他、通話開始や切断指示、赤外線通信機能への切り替え指示、インターネット接続指示などの指示を行うための機能キーを備え、操作されたキーに対応する操作信号を制御部１１へ出力するようになっている。
【００５４】
表示部４５は、ＬＣＤ（Liquid Crystal Display）などにより構成され、制御部４１から送信される表示信号の指示に従って、表示画面上に各種情報や画像データなどの表示を行うようになっている。
【００５５】
音声処理部４６は、アンプ、マイク及びスピーカなどを備えており、音声通話時にマイクから入力される送話信号を符号化して制御部４１へ出力し、受話データを復号化して受話信号を生成し、スピーカから受話音声を出力させるようになっている。また、音声処理部４６は、制御部４１が着信動作を開始した場合、予め指定された着信音（あるいは着信メロディ）をスピーカから出力させるようになっている。
【００５６】
次に、店内端末５の内部構成について、図１を参照して説明する。
【００５７】
本実施形態においては、店内端末５が店舗内に設けられている。
【００５８】
店内端末５は、ＣＰＵ及びＲＡＭから構成される制御部５１を備えており、制御部５１には記憶部５２及び表示部５３が電気的に接続され、制御部５１はこれらの各構成部分をそれぞれ駆動制御するようになっている。
【００５９】
制御部５１は、メイン端末１の制御部１１からの再生指示に従って記憶部５２に記憶されたスライドショープログラムをＲＡＭに展開して実行することにより、メイン端末１の記憶部１３から読み出された静止画データを音楽データと同期させてスライドショー再生を行うようになっている。また、制御部５１は表示部５３のディスプレイのリンク付けされた各表示画面を操作パネルの操作に従って順次表示するようになっている。
【００６０】
記憶部５２は、ＨＤＤ（Hard Disk Drive）などから構成されており、スライドショープログラムの他に、表示部５３のディスプレイの各表示画面がリンク付けされて記憶されていると共に、これらの各表示画面をパネル操作に従って順次表示するプログラムが記憶されている。
【００６１】
表示部５３は、ディスプレイ及びスピーカから構成されており、制御部５１から入力される表示信号の指示に従って、スピーカから音声を出力すると共にディスプレイ画面上に各種画面を表示するようになっている。
【００６２】
本実施形態における表示部のディスプレイは２分割されており、一方においてはスライドショー再生が行われると共に、一方は操作パネルとして構成されている。
【００６３】
スライドショー再生を行う画面においては、制御部５１がメイン端末１の制御部１１からの再生指示に従ってスライドショープログラムを実行することにより、店頭大型ディスプレイ２及び店頭スピーカ３において再生されているのと同様のスライドショー再生を行うようになっている。
【００６４】
一方、操作パネルとして構成されている画面においては、客による操作パネルの操作に従って、ディスプレイのリンク付けされた各表示画面を順次表示するようになっている。このような構成により、その店舗についてのより詳細な情報を順次表示するようになっている。また、各商品についての説明画面に、商品の注文の受付をする注文受付手段を設けることもできる。
【００６５】
また、インフォメーション画面として、「イベント情報」、「天気予報情報」、「地図情報」などを表示することができるようになっている。さらに「アンケート」や定期的に店舗についての情報を提供するための「会員登録」などを行うようにすることもできる。
【００６６】
なお、これらの各画面の表示内容はメイン端末１の操作部１４において設定変更することにより随時更新することが可能となっている。
【００６７】
次に、本実施形態のデータ配信システムの動作について説明する。
【００６８】
まず、店頭に配置された店頭スピーカ３において音楽データを再生すると共に、その音楽データの再生と同期させて、店頭大型ディスプレイ２においてその店舗で扱っている商品、季節ごとのサービス情報、期間限定のお得情報などに関する静止画データをスライドショー再生し、その店舗についての効果的な広告を行う。
【００６９】
ユーザは、店頭大型ディスプレイ２及び店頭スピーカ３においてスライドショー再生された広告に興味を持つと、携帯端末４の操作部４４において携帯端末４としての携帯電話機を赤外線通信機能に切り替える操作を行った上で、通信部４３を店頭大型ディスプレイ２の通信部２１にかざすことによって、携帯端末４と店頭大型ディスプレイ２との間で赤外線通信を開始する。
【００７０】
こうして赤外線通信により携帯端末４から無線信号を受信すると、店頭大型ディスプレイ２はネットワークを介してメイン端末１にデータ送信の指示信号を送信する。メイン端末１はその指示信号を受信すると、記憶部１３から店舗のホームページのＵＲＬデータを読み出し、ネットワークを介して店頭大型ディスプレイ２に送信する。店頭大型ディスプレイ２は、ＵＲＬデータを受信すると、そのＵＲＬデータを赤外線通信によって携帯端末４に送信する。
【００７１】
ユーザは携帯端末４においてＵＲＬデータを受信すると、その場を離れて、時間のあるときにそのＵＲＬデータを利用してインターネットＮに接続してその店舗のホームページにアクセスすることによって、ユーザが興味を持った広告についてのより詳細な情報を入手することができる。本実施形態において、店頭の表示装置から取得したＵＲＬから接続することができるウェブサイトは、店頭の表示装置から取得したＵＲＬからのみ接続できるウェブサイトとなっており、ユーザはそのホームページに接続することによって商品価格の割引や景品の提供などを受けることができる。
【００７２】
一方、店内端末においては、表示部のディスプレイのうち２分割された一方の画面においても店頭大型ディスプレイ２と同様の静止画をスライドショー再生する。また、他方の操作パネルとされた画面においては、ユーザのパネル操作に従って、リンク付けされた画面を順次表示し、その店舗についてのより詳細な情報をユーザに提供する。また、各商品についての説明画面に設けられた注文受付手段によって、商品の注文を受け付けると、メイン端末１及び図示しない会計端末に受け付けた注文情報を送信する。
【００７３】
また、インフォメーション画面において「イベント情報」、「天気予報情報」、「地図情報」などを表示すると共に、「アンケート」や「会員登録」などの画面を表示し、そこで入力された情報をメイン端末１に送信する。
【００７４】
以上のように、本実施形態のデータ配信システムによれば、店舗についての詳細情報を入手したい場合に、携帯端末４を操作して店頭大型ディスプレイ２と無線通信を行うのみで、その店舗のホームページのＵＲＬデータを得ることができる。これにより、その場で携帯端末４によってインターネットに接続するよりも短い通信時間でＵＲＬデータを得ることができる。さらに、得られたＵＲＬデータに基づいて、その携帯端末を使用してインターネットに接続し、店舗のホームページにおいて詳細情報を得ることができる。
【００７５】
また、赤外線通信によって携帯端末４と店頭大型ディスプレイ２との間の無線通信を行うため、高速に無線通信を行うことができる。
【００７６】
さらに、店頭大型ディスプレイ２におけるスライドショー再生で店舗についての広告を行うことによって、携帯端末４を所持しているユーザに店舗についての詳細情報を入手する動機付けをすることができる。
【００７７】
以上詳細に述べたように本発明によれば、駅構内などの公共施設においてユーザが携帯電話などの端末を使用することにより、簡単な操作で短時間に所定のデータを得ることが可能となる。そして、ユーザは時間のあるときにそのデータを利用して所定の情報を得ることができる。これによって、表示装置に表示された広告に興味を持ちつつ時間の制約などによって店舗に入店することができなかったユーザに、店舗についての情報を提供し、そのユーザを顧客として確保して次回の入店などに結びつけることが可能となる。
【００７８】
また、所定のデータがＵＲＬデータであれば、駅構内などの公共施設においてユーザがインターネットに接続するよりも短い通信時間でＵＲＬデータを入手することが可能となり、また、店頭の表示装置から取得したＵＲＬから接続することができるウェブサイトを、店頭の表示装置から取得したＵＲＬからのみ接続できるウェブサイトとし、さらにそのホームページに接続することで商品価格の割引や景品の提供などを受けられるようにすることによって、表示装置からデータを取得したユーザに特典を付与し、そのユーザを顧客として確保して次回の入店などに結びつけることが可能となる。
【００７９】
さらに、ＵＲＬデータを取得したユーザは、その携帯端末を使用して、そのＵＲＬに基づくインターネットのウェブサイトにアクセスすることができる。これによって、ＵＲＬデータを取得したユーザをウェブサイトにおける情報取得に速やかに結びつけることが可能となる。
【００８０】
また、駅構内などの公共施設に設置した表示装置において音楽データと同期させた静止画データのスライドショー再生を行うことによって、携帯端末を所持しているユーザに所定のデータを入手する動機付けをすることができる。
【００８１】
なお、本発明のデータ配信システムは、店頭に表示装置などの広告手段及び赤外線通信などの近距離無線通信を行うことができる機器を設置することができる店舗であれば、いずれの店舗についても適用することができる。
【００８２】
例えば、飲食店の「お得情報」や「季節限定メニューについての情報」、パチンコ店の「昨日の打ち止め台情報」や「打ち止め台開放時間についての情報」、デパートの「タイムセール情報」、その他各種テナントによるアンケート依頼やクイズ出題などの情報を提供する場合に適用することができる。
【００８３】
また、携帯端末４から送信される無線信号から得られたその携帯端末４の識別情報を利用して、店舗の商品についての情報提供などのサービスを行うことなども可能である。
【図面の簡単な説明】
【００８４】
【図１】本発明の実施形態における店頭表示システムの全体構成を示すブロック図である。
【符号の説明】
【００８５】
１  メイン端末
２  店頭ディスプレイ
３  店頭スピーカ
４  携帯端末
５  店内端末
６  ホスト端末
Ｎ  インターネット
【図１】
2006099357.tif 000003